(57)【特許請求の範囲】
【請求項１】
こたつ本体とこたつ本体の上面に配置される食卓台とを備えるやぐらこたつであって、
前記食卓台には、制御信号で変調されたマイクロ波を送信するリモコン送信部を備え、
前記こたつ本体には、前記リモコン送信部から送信されたマイクロ波を受信し、前記制御信号を復調し、復調された制御信号でこたつ本体の作動を制御するリモコン受信部を備え、
前記リモコン受信部には、受信の入力信号が無い状態での受信出力信号を測定して受信検波レベルの自動調整を行い、こたつ本体内部の温度変化による受信回路への影響を補正する補正手段を備える
やぐらこたつ。
【発明の詳細な説明】
【０００１】
【発明の属する技術分野】
本発明は、こたつ本体に設けたヒータ、ファン等を、こたつ布団を介して食卓台に設けたリモコン部から操作するやぐらこたつに関する。
【０００２】
【従来の技術】
従来、微弱電波を制御信号で変調して送信するリモコン送信部を内蔵した食卓台と、リモコン送信部から送信されたこたつ温度制御信号を復調してヒータ等の動作を制御するリモコン受信部を内蔵したこたつ本体とからなるやぐらこたつが提案されている。
【０００３】
このような装置では、微弱なマイクロ波を利用して、リモコン部からのこたつ制御情報を受信するので、通信を確実に行うためには、送信部と受信部との距離はできるだけ短くする必要がある。リモコン部から送信された制御情報を受信する受信ユニットは、制御対象であるヒータやファンに近いこたつ本体内部に配置する必要がある。
【０００４】
【発明が解決しようとする課題】
前記のような構造のやぐらこたつでは、リモコン受信部の受信回路が、こたつ本体内部の温度変化の影響を受け易いという問題がある。こたつ本体内部が低温時には受信感度が低く、高温時には感度が高くなって増幅ノイズが発生して通信性能が悪くなるのである。
【０００５】
こたつ使用上の特異性から、こたつの内部が暖まる前の温度の低い状態から、コタツ内部が暖まった後の温度の高い状態までの広範囲な温度環境のなかで使用されるリモコン受信部では、リモコン部から送信された微弱なマイクロ波を受信し復調を行う増幅回路の増幅トラジスターに、部品による温度特性のばらつきを考慮して調整する回路を付け加えることが必要とされていた。
【０００６】
このような調整回路があるため、受信ユニット組立工程の最後で組み立てた受信ユニットのばらつきを調整する工程が必要になり、やぐらこたつの製造の手間が増えコストも高くなるという問題があった。
本発明の課題は、前記構造のやぐらこたつにおいて、リモコン受信部に必要とされた前記調整回路やその調整工程を不要にすることである。
【０００７】
【課題を解決するための手段】
本発明のやぐらこたつは、こたつ本体とこたつ本体の上面に配置される食卓台とを備えるやぐらこたつである。食卓台には、制御信号で変調されたマイクロ波を送信するリモコン送信部を備える。こたつ本体には、リモコン送信部から送信されたマイクロ波を受信し、制御信号を復調し、復調された制御信号でこたつ本体の作動を制御するリモコン受信部を備える。リモコン受信部には、受信の入力信号が無い状態での受信出力信号を測定して受信検波レベルの自動調整を行い、こたつ本体内部の温度変化による受信回路への影響を補正する補正手段を備える。
【０００８】
このような補正手段を備えていることで、こたつ本体内部のような広範囲な温度特性のなかでも、安定した受信が行える。また、受信ユニットが自動的に検波レベルの調整をおこなうために、調整工程が無くなりコスト高にならない。
【０００９】
【発明の実施の形態】
以下、本発明の実施の形態について図を参照しながら説明する。
図１は、本発明の一実施の形態における主要部概略斜視図である。
やぐらこたつは、木材などで枠組され、四方に足が突出した、いわゆるやぐら構造のこたつ本体２と、こたつ本体２の全体を覆うように掛けられる布団ｆと、布団ｆを挟んでこたつ本体２の上面に載せられる矩形板状の食卓台１とを備える。図では、こたつ本体２の構造を示すために、布団ｆの周囲を切り取った状態で表現しているが、布団ｆはこたつ本体の上面から側面全体を覆うように取り付けられる。
【００１０】
食卓台１の中央には、マイクロ波を制御信号で変調して送信する送信アンテナを含んだリモコン送信部３が内蔵されている。リモコン送信部３を操作する操作部４は、食卓台１の隅部に内蔵されている。こたつ本体２の枠板状をなす上面部分の中央裏面側には、発熱体ユニット６が取り付けられている。発熱体ユニット６の略中央上部の空隙には、布団ｆを介して食卓台１のリモコン送信部３と対面する位置に、リモコン受信部５を有する。リモコン受信部５は、リモコン送信部３から送信されたマイクロ波を受信する。リモコン受信部５の側方には、リモコン受信部５で受信した制御信号を復調する信号処理部７、発熱体ユニット６の発熱量を制御する制御部８を有している。
【００１１】
図２は、図１の信号処理部７に備えた受信ユニット９のブロック図である。
受信ユニット９における通常の受信動作は、リモコン送信部３からのこたつ制御信号を受信アンテナ１９で受信し、受信した微弱な信号を初段増幅器１０、増幅回路１１で増幅し、増幅された信号を検波回路１４で検波し、検波された信号を復調回路１３でパルス復調して、こたつ制御信号を取り出す。取り出されたこたつ制御信号をマイコン１８で演算処理して、こたつの各作動部すなわちヒータやファン等の制御を行う。
【００１２】
次に、無信号時の測定、検波レベルの自動調整について説明を行う。
初段増幅器１０と同列に接地抵抗器１６を介してＧＮＤに接地した疑似増幅器１２を備えている。
マイコン１８の指示により、入力切換回路１７では、増幅回路１１に送る信号の供給源を、初段増幅器１０と疑似増幅器１２とに定期的に切り換えることができる。図３に示す検波回路の検波波形において、受信信号切換波形２０に示すように、測定期間２０ａ、２０ｂは疑似増幅器１２、それ以外の期間は初段増幅器１０からの信号が増幅回路１１に送られる。
【００１３】
図４には、疑似増幅器１２から送られる疑似増幅ノイズ波形を示しており、高温時と低温時では波形が異なる。
マイコン１８によって初段増幅器１０が選択された状態は受信状態である。疑似増幅器１２が選択された状態は入力信号が無い状態である。
入力信号が無い状態の受信ユニット９からの出力信号は、疑似増幅器１２を含めた増幅回路１１からの増幅ノイズである。微弱電磁波を受信し制御信号に復調するシステムにあっては大きな増幅率を必要とするために、増幅トランジスター個々のばらつきによって、増幅回路１１の最終段の出力信号が変わってくる。
【００１４】
また、増幅ノイズは周囲温度に影響される。こたつ本体２の内部に設置された受信ユニット９で、こたつの内部が暖まる前の温度の低い状態（約−２０℃）では、増幅ノイズは、図４に示す低温時増幅波形(b) のように小さくなり、コタツ内部が暖まった後の温度の高い状態（約７０℃）では、増幅ノイズは高温時増幅波形(a) のように大きくなる。
【００１５】
このような増幅トランジスター個々のばらつき、周囲温度の影響を補正するために、疑似増幅器１２が選択された入力信号が無い状態では、受信ユニット９からの疑似出力信号をマイコン１８で演算処理し、マイコン１８と検波回路１４との間に設けられた検波レベル調整回路１５に指示を出し、検波回路１４の検波レベルの自動調整を行う。
【００１６】
図５に示す増幅ノイズの低温時検波波形２２は、点線で示す検波レベルに達していない。このときには、検波レベルを実線で示す位置まで下げて、低温時出力波形２２ａが得られるように調整を行う。また、図６に示すように、増幅ノイズの高温時検波波形２１は、増幅ノイズが点線で示す検波レベルを越えている。このときは、検波レベルを実線で示す位置まで上げて、高温時出力波形２１ａが得られるように調整を行う。
【００１７】
このように、検波回路の検波レベルを、常時、増幅ノイズが受信ユニット９の出力信号に現れる限度いっぱいの状態に自動調整する。
このような状態に調整された受信ユニット９では、リモコン送信ユニット３から送信されたこたつ制御信号を受信アンテナ１９で受信した信号は、例えば、図７で送信信号受信検波波形２３として示すように、当然に増幅ノイズより大きいレベルにある。このように検波レベルが設定された状態で、得られる出力波形２３ａは、適切な出力強度を有する信号になる。
【００１８】
以上のようにして、増幅トランジスター個々のばらつきの影響、周囲温度の影響を無くすることができる。
【００１９】
【発明の効果】
以上のように本発明によれば、こたつの本体部内部のような広範囲な温度変化がある場所に配置された微弱電波の受信ユニットであっても、温度変化に左右されることなく確実に安定した通信を行うことができる。また、自動調整のため受信感度調整工程が合理化できる。
【図面の簡単な説明】
【図１】  本発明の実施形態を表すやぐらこたつの主要概略斜視図
【図２】  受信ユニットブロック図
【図３】  検波回路の切換波形図
【図４】  疑似増幅ノイズ波形図
【図５】  低温時の検波波形および出力波形を示す波形図
【図６】  高温時の検波波形および出力波形を示す波形図
【図７】  送信信号の受信波形を示す波形図
【符号の説明】
１    食卓台
２    こたつ本体
３    リモコン送信部
４    操作部
５    リモコン受信部
６    発熱体ユニット
７    信号処理部
８    制御部
９    受信ユニット
１０  初段増幅器
１１  増幅回路
１２  疑似増幅器
１３  復調回路
１４  検波回路
１５  検波レベル調整回路
１６  接地抵抗器
１７  入力切換回路
１８  マイコン
１９  受信アンテナ
２０  受信信号切換波形
２１  高温時検波波形
２１ａ    高温時出力波形
２２  低温時検波波形
２２ａ    低温時出力波形
２３  送信信号受信検波波形
２３ａ    送信信号受信出力波形
２４  高温時疑似増幅波形
２５  低温時疑似増幅波形
【図１】
0003801363.tif 000002
【図２】
0003801363.tif 000003
【図３】
0003801363.tif 000004
【図４】
0003801363.tif 000005
【図５】
0003801363.tif 000006
【図６】
0003801363.tif 000007
【図７】
0003801363.tif 000008